【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
ユーザの携帯端末と、ステーションに設置される第１発信機であって固有の第１信号を発信するものと、ユーザへの貸出しおよびユーザからの返却が可能であるように前記ステーションに保管される動産としての対象物に設置される第２発信機であって固有の第２信号を発信するものとを用いて前記対象物を管理する対象物管理方法であって、
前記携帯端末が、貸出処理モジュールを起動させると、当該携帯端末が前記第１発信機から前記第１信号を有効に受信すると同時に前記第２発信機から前記第２信号を有効に受信する貸出時双方受信状態にあるか否かを判定する貸出時判定工程と、
前記携帯端末が、前記貸出時双方受信状態にあると判定されると、ユーザに対し、貸出リクエストを入力することを催促し、その貸出リクエストがユーザから入力されると、当該携帯端末と通信可能な管理サーバにユーザへの前記対象物の貸出しを許可してもらうために、前記管理サーバとの通信を開始する貸出時通信開始工程と、
前記携帯端末が、返却処理モジュールを起動させると、当該携帯端末が前記第１発信機から前記第１信号を有効に受信すると同時に前記第２発信機から前記第２信号を有効に受信する返却時双方受信状態にあるか否かを判定する返却時判定工程と、
前記携帯端末が、前記返却時双方受信状態にあると判定されると、ユーザに対し、返却リクエストを入力することを催促し、その返却リクエストがユーザから入力されると、前記管理サーバにユーザからの前記対象物の返却を許可してもらうために、前記管理サーバとの通信を開始する返却時通信開始工程と
を含む対象物管理方法。
【請求項２】
さらに、
前記携帯端末および／または前記管理サーバが、前記対象物の使用開始に、ユーザが前記ステーションに入場した後に退場したために前記第１受信状態が有効受信状態から非有効受信状態に遷移したときに前記第２受信状態が非有効受信状態にあると、ユーザの挙動が異常であると推定する第１異常推定工程を含む請求項１に記載の対象物管理方法。
【請求項３】
さらに、
前記携帯端末および／または前記管理サーバが、前記対象物の使用終了時に、ユーザが前記ステーションに入場した後に退場したために前記第１受信状態が有効受信状態から非有効受信状態に遷移したときに前記第２受信状態が有効受信状態にあると、ユーザの挙動が異常であると推定する第２異常推定工程を含む請求項１または２に記載の対象物管理方法。
【請求項４】
前記対象物は、車両を含み、
当該対象物管理方法は、さらに、
前記携帯端末および／または前記管理サーバが、前記車両の使用終了時に、ユーザが前記ステーションに入場した後に退場したために前記第１受信状態が有効受信状態から非有効受信状態に遷移したときに前記第２受信状態が有効受信状態にあると、ユーザが前記車両の乗り逃げを行ったと推定する第３異常推定工程を含む請求項１ないし３のいずれかに記載の対象物管理方法。
【請求項５】
前記対象物は、ユーザと共に移動する移動体を含む請求項１ないし４のいずれかに記載の対象物管理方法。
【請求項６】
前記移動体は、自転車、自動車、自動二輪車、娯楽用もしくは競技用のゴーカート、買い物カート、ベビーカー、手押し車、車いすまたはゴルフカートを含む請求項５に記載の対象物管理方法。
【請求項７】
前記貸出時通信開始工程が、前記携帯端末が、その画面上に、ユーザが前記貸出リクエストを入力するために操作される第１仮想ボタンを表示する工程を含むことと、
前記返却時通信開始工程が、前記携帯端末が、その画面上に、ユーザが前記返却リクエストを入力するために操作される第２仮想ボタン表示する工程を含むことと
のうちの少なくとも一方を採用する請求項１ないし６のいずれかに記載の対象物管理方法。
【請求項８】
請求項１ないし７のいずれかに記載の携帯端末を実現するためにその携帯端末のコンピュータによって実行されるプログラム。
【請求項９】
請求項８に記載のプログラムをコンピュータ読み取り可能に記録した記録媒体。
【手続補正２】
【補正対象書類名】明細書
【補正対象項目名】００２８
【補正方法】変更
【補正の内容】
【００２８】
その課題を解決するために、本発明のあるアスペクトによれば、ユーザの携帯端末と、ステーションに設置される第１発信機であって固有の第１信号を発信するものと、ユーザへの貸出しおよびユーザからの返却が可能であるように前記ステーションに保管される動産としての対象物に設置される第２発信機であって固有の第２信号を発信するものとを用いて前記対象物を管理する対象物管理方法であって、
前記携帯端末が、貸出処理モジュールを起動させると、当該携帯端末が前記第１発信機から前記第１信号を有効に受信すると同時に前記第２発信機から前記第２信号を有効に受信する貸出時双方受信状態にあるか否かを判定する貸出時判定工程と、
前記携帯端末が、前記貸出時双方受信状態にあると判定されると、ユーザに対し、貸出リクエストを入力することを催促し、その貸出リクエストがユーザから入力されると、当該携帯端末と通信可能な管理サーバにユーザへの前記対象物の貸出しを許可してもらうために、前記管理サーバとの通信を開始する貸出時通信開始工程と、
前記携帯端末が、返却処理モジュールを起動させると、当該携帯端末が前記第１発信機から前記第１信号を有効に受信すると同時に前記第２発信機から前記第２信号を有効に受信する返却時双方受信状態にあるか否かを判定する返却時判定工程と、
前記携帯端末が、前記返却時双方受信状態にあると判定されると、ユーザに対し、返却リクエストを入力することを催促し、その返却リクエストがユーザから入力されると、前記管理サーバにユーザからの前記対象物の返却を許可してもらうために、前記管理サーバとの通信を開始する返却時通信開始工程と
を含む対象物管理方法が提供される。
また、本発明の一側面によれば、ユーザの携帯端末と、ステーションに設置される第１発信機であって固有の第１信号を発信するものと、前記ステーションに割り当てられる動産または不動産としての対象物に設置される第２発信機であって固有の第２信号を発信するものとを用いて前記対象物を管理する対象物管理方法であって、
前記携帯端末が、ユーザが前記ステーションに滞在している間、前記第１発信機の第１受信レンジ内にあり、ユーザが当該携帯端末を前記第１発信機にかざさなくても、その第１発信機から前記第１信号を継続的に有効に受信し、前記携帯端末が前記第１発信機から前記第１信号を有効に受信するか否かを表す第１受信状態が、ユーザが前記ステーションに入場すると、非有効受信状態から有効受信状態に遷移し、ユーザが前記ステーションから退場すると、有効受信状態から非有効受信状態に遷移し、それにより、前記ステーションに対するユーザの相対的な動的挙動を表す第１受信工程と、
前記携帯端末が、ユーザが前記対象物を使用している間、前記第２発信機の第２受信レンジ内にあり、ユーザが当該携帯端末を前記第２発信機に接触させるかもしくはかざすという動作が行われるかまたはその動作が行われなくても、その第２発信機から前記第２信号を有効に受信し、前記携帯端末が前記第２発信機から前記第２信号を有効に受信するか否かを表す第２受信状態が、ユーザが前記対象物の使用を開始すると、非有効受信状態から有効受信状態に遷移し、ユーザが前記対象物の使用を終了すると、有効受信状態から非有効受信状態に遷移し、それにより、前記対象物に対するユーザの相対的な動的挙動を表す第２受信工程と、
前記携帯端末および／またはその携帯端末との間で通信可能な管理サーバが、前記第１受信状態と前記第２受信状態との間の関係の時間的変化に基づき、前記ステーションおよび前記対象物に対するユーザの相対的な動的挙動を推定し、その結果に基づいて前記対象物を管理する管理工程と
を含む対象物管理方法が提供される。
【手続補正３】
【補正対象書類名】明細書
【補正対象項目名】０３２７
【補正方法】変更
【補正の内容】
【０３２７】
今回は、携帯端末９０の画面上において「返却処理モード」というボタンがユーザによって選択される。それに応答して携帯端末９０用の返却処理モジュールが携帯端末９０によって実行される。